(57)【要約】      （修正有）【課題】シャッター板の開閉操作が誰でも簡単且つ円滑に行なえる開閉式床用ガラリを提供する。【解決手段】シャッター板５を横スライドさせるシャッター操作部材６が、ガラリ本体３の内側に設けられたガイド部４に横スライド自在に支持されている。シャッター操作部材６とシャッター板５とは、ガラリ本体３を挟んだ状態で接続されて、シャッター板５がガラリ本体３の下面に接する位置に上方にばね付勢された状態で位置している。シャッター操作部材６の操作に伴うシャッター板５のスライド移動で、ガラリ本体３にある多数個の通風口Ｓの位置に対してシャッター板５に設けられている多数個の開口の位置を横移動させて、ガラリ１を開閉させる構造にした。【選択図】図７
0003198535.tif 000002
【実用新案登録請求の範囲】
【請求項１】
角材又は角筒材を平面視枠形状に組付け接合した本体枠の内側に多数本の桟部材又は格子部材等の補助部材が接続されて、該本体枠の内側に多数の通風口が設けられたガラリ本体と、
該ガラリ本体を途中深さまで落とし込む内向きの段部が側壁に設けられた角筒形状を有する受枠と、
前記多数の通風口に対応する開口が多数設けられたシャッター板と、
前記受枠内における該シャッター板の下方個所に設置される防虫網及び／又はフィルタとを有し、
前記シャッター板を往復方向にスライド操作させる１又は複数のシャッター操作部材が前記ガラリ本体の内側に設けられたガイド部に往復スライド自在に支持され、該シャッター操作部材と前記シャッター板とが前記ガラリ本体を挟んだ状態で接続されて、該シャッター板が前記ガラリ本体の下面に接する位置に配置され、前記シャッター操作部材の操作に伴う前記シャッター板のスライド移動により、前記通風口の位置に対して前記開口の位置を変化させて、該通風口を開閉させる構造としたことを特徴とする開閉式床用ガラリ。
【請求項２】
前記シャッター操作部材は、前記補助部材の上面と高さを揃え、該補助部材と並ぶ向きに位置している、請求項１に記載のする開閉式床用ガラリ。
【請求項３】
前記本体枠における一方の対向する２本の枠部分の下面に座板が装着されて、前記段部の上面と前記受枠の下面と間に前記シャッター板の端部を突入させる隙間が確保されている、請求項１又は２に記載のする開閉式床用ガラリ。
【請求項４】
前記シャッター板の下面に接する下方位置に該シャッター板を上方に押し上げるばねが配設されて、該シャッター板と前記受枠と間に隙間が生じるのが防止されている、請求項１乃至３の何れかの項に記載のする開閉式床用ガラリ。
【考案の詳細な説明】
【技術分野】
【０００１】  本考案は、床下に流通する風を室内に取り入れる本来の目的に加えて、通風口の開閉のための操作と開閉量の調節が誰でも簡単かつ迅速に行える開閉式床用ガラリに関する。
【背景技術】
【０００２】  建物内の床に開口を設けて、この開口内に床用ガラリを取り付けると、暑い季節に屋外から床下に流入する涼しい風を室内に取り入れることが出来、室内の換気効率も上昇する。一方、暑い季節が過ぎると、床用ガラリの通風口を閉じて寒風や冷気が室内に侵入しないようにする必要がある。このため、床用ガラリは通風口を開閉できる開閉式が好まれる。【０００３】  開閉式の床用ガラリに関する従来技術に、例えば、特許文献１に記載の開閉式床用ガラリがある。この開閉式床用ガラリは、特許文献１における意匠の物品の説明よると「アルミ製フレームの内側に、多数の通風口を設けた第一の枠体と、その背部にスライド可能に取り付けられた同形状の第二の枠体とからなるスライド式のガラリが収容されており、該第二の枠体をスライドさせることにより、通風口の開閉を可能とする。」と記載されている。【０００４】  しかしながら、第二の枠体をどのようにしてスライドさせるかについての記載は無い。また、同特許文献の図面（各正面図）にも第二の枠体をスライドさせる操作部材らしき部材は描かれていない。このため、第二の枠体をどのようにしてスライドさせるかについては推考に頼るしかないが、第一の枠体をフレームから一旦取り出して第二の枠体をスライドさせる方法と、第一の枠体にある通風口内に指先を入れて、第二の枠体における桟部材の側面を横方向に押す操作して第二のフレームをスライドさせる方法とが、容易に考えつく。【０００５】  ところで、通風口の開閉には、通風口を完全に閉じる場合と、通風口を途中まで閉じる場合とがある。通風口を途中まで閉じる場合とは、暑い昼間よりも室温が低下する夜間時、雨天時、風の強いときに行なわれる。また、１日の間でも時間が経過すると気温や室温が変化するため、通風口の開閉量の調節を時々行うことも予想される。【０００６】  しかしながら、通風口の開閉量の調節を行うために、第一の枠体をフレームから一旦取り出すという作業は面倒である。【０００７】  第一の枠体にある通風口内に指先を入れて、第二の枠体における部材の側面を横方向に押す操作は、通風口が開いている場合には操作可能であるが、通風口が閉じている場合には第二の枠体の桟部材の側面を押すことが出来ない。【０００８】  このように、特許文献１の開閉式床用ガラリは、通風口の開閉操作、開閉量の調節の操作が誰でも簡単かつ迅速に行えない。この開閉式床用ガラリの通風口を開閉させる操作を知らない人の場合は尚更である。
【先行技術文献】
【０００９】
【特許文献】
【００１０】
【特許文献１】意匠登録第１３９４１８４号公報
【考案の概要】
【考案が解決しようとする課題】
【００１１】  本考案は、通風口の開閉のため操作と開閉量の調節が誰でも簡単かつ迅速に行える開閉式床用ガラリにすることを解決課題とする。
【課題を解決するための手段】
【００１２】  請求項１に係る開閉式床用ガラリは、次の各構成を備える。
（１）角材又は角筒材を平面視枠形状に組付け接合した本体枠の内側に多数本の桟部材又は格子部材等の補助部材が接続されて、該本体枠の内側に多数の通風口が設けられたガラリ本体を有する。
（２）該ガラリ本体を途中深さまで落とし込む内向きの段部が側壁に設けられた角筒形状を有する受枠を有する。
（３）前記多数の通風口に対応する開口が多数設けられたシャッター板を有する。
（４）前記受枠内における該シャッター板の下方個所に設置される防虫網及び／又はフィルタを有する。
（５）前記シャッター板を往復方向にスライド操作させる１又は複数のシャッター操作部材が前記ガラリ本体の内側に設けられたガイド部に往復スライド自在に支持されている。
（６）該シャッター操作部材と前記シャッター板とが前記ガラリ本体を挟んだ状態で接続されて、該シャッター板が前記ガラリ本体の下面に接する位置に配置されている。
（７）前記シャッター操作部材の操作に伴う前記シャッター板のスライド移動により、前記通風口の位置に対して前記開口の位置を変化させて、該通風口を開閉させる構造としてある。【００１３】  本考案に係る開閉式床用ガラリは、受枠とガラリ本体に大別される。
受枠はこの開閉式床用ガラリを床に開設した開口内に嵌め込んで設置できるようにするハウジングとしての機能、このガラリの通気路を確保する壁面としての機能、ガラリ本体を保持する機能、防虫網及び／又はフィルタを保持する機能を持つ。
ガラリ本体は、その上面と受枠の上面とが略揃う状態で受枠内に嵌め込まれる。閉式床用ガラリによる通気を必要としない寒冷期に冷たくなった開閉式床用ガラリの上にマットや畳表地を位置ズレしない状態で覆うことが出来るように、ガラリ本体が受枠の上面よりも若干低い高さ（数ｍｍ以内）の位置に置かれるようにされていることが好ましい。【００１４】  本考案の最も特長とするところの１つは、ガラリ本体の通風口を開閉と、開閉量の調節を行うシャッター板のスライドが、ガラリ本体の枠内側に設けられたシャッター操作部材のスライド操作で行えるところにある。
本考案の最も特長とするところの他の１つは、シャッター操作部材とシャッター板とがガラリ本体を挟んだ状態で接続されて、シャッター板がガラリ本体の下面に接する位置に配置されているところにある。
これら２つの特長があると、上記開閉のための操作が誰でも簡単かつ瞬時に行え、開閉量の調節も小刻みに行える。また、開閉式床用ガラリの更なる薄型化と軽量化を可能にし、製造コストを抑える。【００１５】  請求項２に係る開閉式床用ガラリは、次の各構成を備える。
（１）請求項１に係る開閉式床用ガラリと同様の構成を備えている。
（２）前記シャッター操作部材は、前記補助部材の上面と高さを揃え、該補助部材と並ぶ向きに位置している。【００１６】  ガラリ本体は、前述したように、角材又は角筒材を平面視枠形状に組付け接合した本体枠と、多数本の桟部材又は格子部材等の補助部材とによる溶接接合された一体形成品である。多数本の桟部材は、本体枠の内側に夫々所定間隔を置いて設けられ、格子部材は縦桟と横桟による桝目が揃えられている。本考案の全ての請求項に係る床用ガラリは、平面視において横長の長方形である。
シャッター板のスライドによる通風口の開閉と、開閉量の調節を容易かつ円滑に行えるようにするためには、横長のシャッター板を横方向にスライドさせることが好ましい。このため、桟部材と通風口は、短尺方向である縦方向に向けられて、交互に横方向に並んで位置する。【００１７】  シャッター操作部材が目立つと、開閉式床用ガラリの見栄えと高級感を低下させる。また、シャッター操作部材を横方向にスライドさせるのに必要な横方向のスペースを確保する必要がある。このため、請求項２に係る開閉式床用ガラリにおいては、前記補助部材が桟部材である場合には、一部の本数の桟部材の代わりに前記シャッター操作部材が配置されている。前記補助部材が格子部材である場合には、格子の一部が取り払われて、この個所に前記シャッター操作部材が配置されている。しかも、桟部材（或いは格子部材）は、その上面を本体枠の上面と高さを揃えて、同じ向きに揃えられている。このため、シャッター操作部材は目立つことなく、桟部材（或いは格子部材）と調和のある並んだ状態で配置され、見栄え良く、落ち着いた高級感のある開閉式床用ガラリになる。【００１８】  請求項３に係る開閉式床用ガラリは、次の各構成を備える。
（１）請求項１又は２に係る開閉式床用ガラリと同様の構成を備えている。
（２）前記本体枠における一方の対向する２本の枠部分の下面に座板が装着されて、前記段部の上面と前記受枠の下面と間に前記シャッター板の端部を突入させる隙間が確保されている。【００１９】  シャッター板の縁部がガラリ本体と受枠の途中段部の上面との間に挟まれた状態であると、シャッター板にガラリ本体の重量が掛って、シャッター板のスライドが円滑に行われなくなる。このため、シャッター板の短尺方向（縦方向）の幅は、ガラリ本体の短尺方向の幅よりも若干短くして、シャッター板の長尺方向（横方向）に沿う両縁部が、ガラリ本体と受枠の途中段部の上面との間に挟まれないようにした。【００２０】  一方、シャッター板の長尺方向（横方向）の長さがガラリ本体の同方向の長さよりも短いと、シャッター板で通風口を閉じたときに、端の通風口を閉じさせることが出来なくなる。このため、本考案では、ガラリ本体の長尺な２本の枠部分（横長の２本の枠部分）の下面に座板を装着して、ガラリ本体の短尺な２本の枠部分を浮かせ、シャッター板の端部（左右いすれかの端部）を突入させる隙間を確保した。このため、ガラリ本体と略同じ程度の横幅のあるシャッター板が使用できるようになる。【００２１】  請求項４に係る開閉式床用ガラリは、次の各構成を備える。
（１）請求項１乃至３の何れかの項に記載の開閉式床用ガラリと同様の構成を備えている。
（２）前記シャッター板の下面に接する下方位置に該シャッター板を上方に押し上げるばねが配設されて、該シャッター板と前記受枠と間に隙間が生じるのが防止されている。【００２２】  シャッター板とガラリ本体の下面との間に隙間があると、寒冷期に通風口を閉じても、冷たい隙間風が室内に侵入する。請求項４に係る開閉式床用ガラリは、このような事態になるのを防止するため、ばねの付勢力でシャッター板をガラリ本体の下面に常接させるようにして、シャッター板とガラリ本体の下面との間に隙間が生じないようにした。
【考案を実施するための形態】
【００２３】  以下、本考案実施形態に係る開閉式床用ガラリを図面に沿って詳述する。
【図面の簡単な説明】
【００２４】
【図１】本考案実施形態に係る開閉式床用ガラリの斜視図。
【図２】（ａ）は本考案実施形態に係る開閉式床用ガラリの正面図、（ｂ）は同じく側面図、（ｃ）は同じく底面図。
【図３】本考案実施形態に係る開閉式床用ガラリの受枠からガラリ本体を取り出した状態を示した斜視図。
【図４】本考案実施形態に係る開閉式床用ガラリの受枠に用いられている型材の拡大断面図。
【図５】（ａ）は開閉式床用ガラリを床に取り付ける直前の状態を示した斜視図、（ｂ）は開閉式床用ガラリを床に取り付けた状態を示した建物内の側面断面図。
【図６】ガラリ本体の分解斜視図。
【図７】（ａ）は本考案実施形態に係る開閉式床用ガラリをシャッター全開の状態で示した平面図、（ｂ）はそのＡ−Ａ断面図。
【図８】（ａ）は図７（ａ）の一部拡大断面図、（ｂ）は図７（ｂ）の一部拡大断面図、（ｃ）は図７（ａ）におけるＢ−Ｂ拡大断面図。
【図９】（ａ）は本考案実施形態に係る開閉式床用ガラリをシャッター閉鎖の状態で示した平面図、（ｂ）はそのＡ−Ａ断面図。
【図１０】（ａ）は図９（ａ）の一部拡大断面図、（ｂ）は図９（ｂ）の一部拡大断面図。
【図１１】他の実施形態に係る受枠の一部拡大断面図。
【実施例】
【００２５】  図１〜図３に本考案実施形態に係る開閉式床用ガラリが示されている。
開閉式床用ガラリ１は、受枠２とガラリ本体３に大別され、ガラリ本体３は受枠２内に取り出し可能に収容されている。開閉式床用ガラリ１の大きさを理解するため、好適なる一例として、長尺方向の長さＬが６３０ｍｍ、短尺方向の長さＷが１００ｍｍの大きさの横長い長方形状を有するアルミ製の開閉式床用ガラリを挙げる。尚、これらの寸法及び図示する形状は本考案の権利範囲を限定するものではない。【００２６】  ガラリ本体３は、角材又は角筒材を平面視枠形状に組付け接合した本体枠３ａの内側に多数本の桟部材３ｂ，３ｂ・・が横並びに等間隔を置いて接続された一体形成品であり、隣り合う桟部材３ｂ，３ｂどうしの間が通風口Ｓになる。本体枠３ａ内の左右両端個所と中央個所には桟部材３ｂが設けられておらず、桟部材３ｂ，３ｂ，３ｂの替わりに、桟部材３ｂよりも細幅の角材又は角筒材を材料とするシャッター操作部材６，６，６が設けられている。このため、シャッター操作部材６は桟部材３ｂと同じ向きで並んだ見栄えの良いものになっているが、両者は容易に見分けることが出来る。【００２７】  図３及び図４に示すように、受枠２は、横長の長方形の段付き角筒形状を有する。図２及び図３に示すように、受枠２の上端には外方向に僅かに広がるフランジ部２ａが形成されている。図４に示すフランジ部２ａの下面と段部２ｃの下面との間の間隔Ｈは、一般的な床材の厚さに合わせた１２ｍｍに設定してあり、この寸法にすると、床面の開口縁はフランジ部２ａの下面に接した状態で隠れる。受枠２の側壁２ｂの中段高さの個所には、内向きの段部２ｃが設けられており、この段部２ｃの上にガラリ本体３の周縁近傍部が置かれる。受枠２の下端部には、防虫網１５の周縁近傍部を巻き込んだ防虫網巻込みゴム１６を突入保持させる防虫網巻込み部２ｄが設けられている。受枠２の下端部に防虫網１５を張設すると室内に虫や小動物が侵入することが無い。【００２８】  図５（ａ）に示すように、開閉式床用ガラリ１を床面に設置する場合には、床材５０に受枠２の側壁２ｄが嵌入する大きさの開口を形成し、床材５０の下方の捨張５１に、このガラリ１の段部２ｃの載置面を確保した開口５２を形成する。この後、図５（ｂ）に示すように、開口５２の上方からこのガラリ１を嵌入支持させる。このようにすると、建物の換気口５３から床下に流通する風を、このガラリ１を通じて室内に送り込むことができる。【００２９】  図６に示すように、ガラリ本体３の下方には、２本の座板９，９とシャッター板５が取り付けられている。座板９，９は、ガラリ本体３における本体枠３ａの一部である２本の長尺方向の角筒材（又は角材）の下面に略合わせた広さと長さがある。座板９，９は、この２個所の下面にビス１０，１０・・・を用いて装着されている。【００３０】  シャッター板５には、ガラリ本体３の通風口Ｓ，Ｓ・・・に合わせた大きさの開口５ａ，５ａ・・・が、通風口Ｓ，Ｓ・・・と同じ間隔で開設されている。シャッター板５は、ガラリ本体３の下面に常接した状態で、２本の座板９，９の間に配置される。この配置はシャッター板５をガラリ本体２の内側に横スライド自在に支持されている３個のシャッター操作部材６，６，６に、ねじ７，７・・・を用いて吊下げ支��する方法で行われている。この吊下げは、シャッター板５がガラリ本体３の下面から下方に若干離れることも可能にしている。シャッター板５の下面とねじ７，７・・・の頭部とに間には、ねじ７．７…に嵌入したばね８，８・・・が介在している。このため、シャッター板５は上方に付勢されて、ガラリ本体２１の下面に常接した状態になる。【００３１】  図７（ａ）（ｂ）及び図８（ａ）（ｂ）に通風口Ｓを全開させた状態の開閉式床用ガラリ１が示されている。
通風口Ｓの開閉は、シャッター板５を横方向にスライドさせてシャッター板５の開口５ａの位置を変化させることにより行われる。通風口Ｓの位置とシャッター板５の開口５ａの位置とが一致した状態になると、通風口Ｓは全開状態にある。通風量の調節は、通風口Ｓの位置に対してシャッター板５の開口５ａの位置にズレがある状態にすることである。【００３２】  図７（ａ）（ｂ）及び図８（ａ）（ｂ）（ｃ）に示すように、シャッター操作部材６が位置するガラリ本体３の内側の左右端個所と中央個所における短尺方向の両端部には、シャッター板５を横スライド移動自在に支持する各一対のガイド部４，４が固定されている。図示するガイド部４，４は、短い角棒で構成されている。３個所に位置する各一対のガイド部４，４は、ガラリ本体３の本体枠３ａの内側面と桟部材３ｂの側面に溶接する方法で、ガラリ本体３の内側に固定されている。【００３３】  シャッター操作部材６の長さ方向の両端部は、一対のガイド部４，４に一定の向きを保ったまま横スライド自在に跨設されるように、上端面を残した下部分が上下逆Ｌ字形状に切り欠かれている。一対のガイド部４，４に跨設されたシャッター操作部材６の下方には、前述したように、ねじ７，７・・・とばね８，８・・・を用いてシャッター板５が上方に付勢された吊下げ状態で取り付けられている。図では皿ばね８が用いられているが、コイルばねを用いても構わない。以上のようにしてシャッター操作部材６とシャッター板５とを接続させると、シャッター操作部材６を指先で横方向に押すだけで、或いは引くだけで、シャッター板５を横スライドさせることができる。【００３４】  図９（ａ）（ｂ）及び図１０（ａ）（ｂ）に示すように、シャッター操作部材６を操作してシャッター板５の各開口５ａ，５ａ・・・を桟部材３ｂ，３ｂ・・・の下面に重なる位置まで移動させると、通風口Ｓ，Ｓ・・・はシャッター板５の板面で閉鎖される。【００３５】  図７〜図１０の各図に示すように、シャッター操作部材６を桟部材３ｂよりも若干細幅の角材を用い、シャッター操作部材６と左右両側の桟部材３ｂ、３ｂとの間に間隔を設けると、指先で操作がし易く、桟部材３ｂと見分けがつくシャッター操作部材６になる。【００３６】  図７（ａ）（ｂ）及び図９（ａ）（ｂ）に示すように、３個のシャッター操作部材６，６，６を横方向に間隔を置いて設けると、横方向に長いシャッター板５の支持と姿勢を安定させ、シャッター板５を円滑に横スライドさせることができる。また、シャッター操作部材６，６，６が３個あると、両手の指で複数個のシャッター操作部材６，６を操作できる。【００３７】  図示していないが、ガラリ本体３の下面にシャッター板５を更に円滑に横スライドさせるプラスチックフィルム（ポリエチレンフィルム等）を貼り付けてもよい。また、ガラリ本体３の下面に短い起毛のあるクッションシートを貼り付けて、ガラリ本体３の下面とシャッター板５との間に隙間が生じないようにしてもよい。【００３８】  前述した受枠２は、防虫網巻込み部２ｄが下端部に設けられた形状となっているが、図１１に示すように、受枠２の下端部に防虫網巻込み枠１７を置く内向きのフランジ部２ｅを設けた形状とすることも可能であ���。
【考案の効果】
【００３９】  本考案に係るこの開閉式床用ガラリによれば、通風口の開閉と、開閉量の調節が、ガラリ本体の枠内側という操作し易い位置にあるシャッター操作部材のスライド操作で行える構造とした結果、通風口の開閉操作と開閉量の調節が誰でも簡単かつ迅速に行えるようになった。
【符号の説明】
【００４０】  １    開閉式床用ガラリ
２    受枠
３    ガラリ本体
３ａ  本体枠
３ｂ  桟部材
４    ガイド部
５    シャッター板
５ａ  開口
６    シャッター操作部材
９    座板
１５    防虫網
１６    防虫網巻込みゴム
Ｓ    通風口
【図１】
0003198535.tif 000003
【図２】
0003198535.tif 000004
【図３】
0003198535.tif 000005
【図４】
0003198535.tif 000006
【図５】
0003198535.tif 000007
【図６】
0003198535.tif 000008
【図７】
0003198535.tif 000009
【図８】
0003198535.tif 000010
【図９】
0003198535.tif 000011
【図１０】
0003198535.tif 000012
【図１１】
0003198535.tif 000013